(57)【要約】【課題】複数のホームネットワーク間のコンテンツ情報を共有し、一元管理する。【解決手段】ＨＧＷ装置２２０は、ホームネットワーク２０１にコンテンツリスト取得要求を送信するコンテンツリスト取得要求手段２２３と、ホームネットワーク２０１から受信したコンテンツリストと再生機器２２２から取得したコンテンツリストとを一つのコンテンツリストにまとめて再生機器２２２へ転送するコンテンツリスト転送手段２２４とを備える。ＨＧＷ装置２１０は、ＤＭＳ２１１が保持しているコンテンツ情報のリストを取得するリスト取得手段２１２と、リスト取得手段２１２により取得したコンテンツ情報のリストをもとにポートマッピングを設定し、その設定情報を基にコンテンツリストのＵＲＬ部分を変更する変更手段２１３と、ＵＲＬ部分を変更したコンテンツリストをＨＧＷ装置２２０へ返信するコンテンツリスト返信手段２１４とを備える。【選択図】図７
2013148939.tif 000002
【特許請求の範囲】
【請求項１】
少なくとも第１のゲートウェイ装置及び第１のデジタルメディアサーバからなる１以上の第１のホームネットワークと、
第２のゲートウェイ装置、第２のデジタルメディアサーバ及び少なくともコンテンツ情報を再生する機能を備える再生機器からなる第２のホームネットワークとが、
双方向通信可能なネットワークを介して接続されており、
前記第２のゲートウェイ装置は、
前記再生機器からの前記第１のホームネットワークに保持されているコンテンツ情報の取得要求に基づいて、取得要求されたコンテンツ情報を保持する前記第１のホームネットワークに前記ネットワークを介してコンテンツリスト取得要求を送信するコンテンツリスト取得要求手段と、
前記コンテンツリスト取得要求を受信した前記第１のホームネットワークから応答送信されたコンテンツリストを受信し、少なくともその受信コンテンツリストを前記再生機器へ転送するコンテンツリスト転送手段とを備え、
前記第１のゲートウェイ装置は、
前記第２のゲートウェイ装置から送信された前記コンテンツリスト取得要求を受信したときに、前記第１のデジタルメディアサーバが保持しているコンテンツ情報のリストを取得するリスト取得手段と、
前記リスト取得手段により取得した前記コンテンツ情報のリストをもとにポートマッピングを設定し、その設定情報を基にコンテンツリストのＵＲＬ部分を変更する変更手段と、
前記変更手段により前記ＵＲＬ部分を変更した第１のホームネットワークの前記コンテンツリストを前記ネットワークを介して前記第２のゲートウェイ装置へ返信するコンテンツリスト返信手段とを備える、
ことを特徴とするコンテンツ情報共有システム。
【請求項２】
前記第１のゲートウェイ装置における前記変更手段は、
前記第１のデジタルメディアサーバが保持しているコンテンツ情報をもとに、前記第１のゲートウェイ装置自身の前記ネットワーク側に割り当てられているグローバルＩＰアドレスの特定ポート宛てへのパケットを前記第１のホームネットワークのコンテンツリストのＵＲＬに記載されているＩＰアドレスに転送するように設定するポートマッビング設定手段と、
前記ポートマッピング設定手段による設定情報をもとに、前記第１のホームネットワークのコンテンツリストの、ＩＰアドレス及びポート番号情報からなるＵＲＬ情報を変換して、前記ＵＲＬ部分を変更した第１のホームネットワークのコンテンツリストを作成するコンテンツリスト変換手段と
を有することを特徴とする請求項１記載のコンテンツ情報共有システム。
【請求項３】
前記コンテンツリスト転送手段は、前記コンテンツリスト取得要求を受信した前記第１のホームネットワークから応答送信されたコンテンツリストを受信し、その受信コンテンツリストと前記再生機器から取得したコンテンツリストとを一つのコンテンツリストにまとめて前記再生機器へ転送することを特徴とする請求項１記載のコンテンツ情報共有システム。
【請求項４】
前記再生機器は、前記第２のゲートウェイ装置から送信されたコンテンツリストに記載されたＵＲＬから前記第２のゲートウェイ装置を介して前記第１のホームネットワークに保持されている要求したコンテンツ情報を取得して再生することを特徴とする請求項１又は２記載のコンテンツ情報共有システム。
【請求項５】
前記第１及び第２のデジタルメディアサーバは、ＤＬＮＡ規格に対応したＤＭＳであり、前記再生機器はＤＬＮＡ規格に対応したＤＭＰ、ＤＭＲ又はＤＭＣであることを特徴とする請求項１乃至４のうちいずれか一項記載のコンテンツ情報共有システム。
【請求項６】
前記第１のゲートウェイ装置は、
ユニバーサルプラグアンドプレイ機能を用いて前記第２のホームネットワークからのコンテンツリスト取得要求に対する応答、及びＵＰｎＰデバイス情報を取得する第１のＵＰｎＰコントロールポイント機能と、
前記ＵＲＬ部分を変更した第１のホームネットワークの前記コンテンツリストを作成する第１のコンテンツリスト処理機能と、
前記ポートマッピングの設定を行うポートマッピング設定機能とを備え、
前記第２のゲートウェイ装置は、前記第１のホームネットワークから送信された前記ＵＲＬ部分を変更した第１のホームネットワークの前記コンテンツリストを取得して一時保存する第２のＵＰｎＰコントロールポイント機能と、
一時保存した前記ＵＲＬ部分を変更した第１のホームネットワークの前記コンテンツリストと前記第２のデジタルメディアサーバから取得したコンテンツリストをまとめて一つのコンテンツリストに作成して前記再生機器へ出力する処理を行う第２のコンテンツリスト処理機能とを備えることを特徴とする請求項５記載のコンテンツ情報共有システム。
【請求項７】
少なくとも第１のゲートウェイ装置及び第１のデジタルメディアサーバからなる１以上の第１のホームネットワークに、双方向通信可能なネットワークを介して接続された、第２のゲートウェイ装置、第２のデジタルメディアサーバ及び少なくともコンテンツ情報を再生する機能を備える再生機器からなる第２のホームネットワークの前記第２のゲートウェイ装置が、前記再生機器からの前記第１のホームネットワークに保持されているコンテンツ情報の取得要求に基づいて、取得要求されたコンテンツ情報を保持する前記第１のホームネットワークに前記ネットワークを介してコンテンツリスト取得要求を送信するコンテンツリスト取得要求ステップと、
前記第１のゲートウェイ装置が、前記第２のゲートウェイ装置から送信された前記コンテンツリスト取得要求を受信したときに、前記第１のデジタルメディアサーバが保持しているコンテンツ情報のリストを取得するリスト取得ステップと、
前記第１のゲートウェイ装置が、前記リスト取得ステップにより取得した前記コンテンツ情報のリストをもとにポートマッピングを設定し、その設定情報を基にコンテンツリストのＵＲＬ部分を変更する変更ステップと、
前記第１のゲートウェイ装置が、前記変更ステップにより前記ＵＲＬ部分を変更した第１のホームネットワークの前記コンテンツリストを前記ネットワークを介して前記第２のゲートウェイ装置へ返信するコンテンツリスト返信ステップと、
前記第２のゲートウェイ装置が、前記コンテンツリスト取得要求を受信した前記第１のホームネットワークから応答送信されたコンテンツリストを受信し、少なくともその受信コンテンツリストを前記再生機器へ転送するコンテンツリスト転送ステップと、
を含むことを特徴とするコンテンツ情報共有方法。
【請求項８】
前記変更ステップは、
前記第１のデジタルメディアサーバが保持しているコンテンツ情報をもとに、前記第１のゲートウェイ装置自身の前記ネットワーク側に割り当てられているグローバルＩＰアドレスの特定ポート宛てへのパケットを前記第１のホームネットワークのコンテンツリストのＵＲＬに記載されているＩＰアドレスに転送するように設定するポートマッビング設定ステップと、
前記ポートマッピング設定ステップによる設定情報をもとに、前記第１のホームネットワークのコンテンツリストの、ＩＰアドレス及びポート番号情報からなるＵＲＬ情報を変換して、前記ＵＲＬ部分を変更した第１のホームネットワークのコンテンツリストを作成するコンテンツリスト変換ステップと
を含むことを特徴とする請求項７記載のコンテンツ情報共有方法。
【請求項９】
少なくとも第１のゲートウェイ装置及び第１のデジタルメディアサーバからなる１以上の第１のホームネットワークに、双方向通信可能なネットワークを介して接続された、第２のゲートウェイ装置、第２のデジタルメディアサーバ及び少なくともコンテンツ情報を再生する機能を備える再生機器からなる第２のホームネットワークの前記第２のゲートウェイ装置において
前記再生機器からの前記第１のホームネットワークに保持されているコンテンツ情報の取得要求に基づいて、取得要求されたコンテンツ情報を保持する前記第１のホームネットワークに前記ネットワークを介してコンテンツリスト取得要求を送信するコンテンツリスト取得要求機能と、
前記コンテンツリスト取得要求を受信した前記第１のホームネットワークから応答送信されたコンテンツリストを受信し、少なくともその受信コンテンツリストを前記再生機器へ転送するコンテンツリスト転送機能とをコンピュータにより実現させ、
前記第１のゲートウェイ装置において
前記第２のゲートウェイ装置から送信された前記コンテンツリスト取得要求を受信したときに、前記第１のデジタルメディアサーバが保持しているコンテンツ情報のリストを取得するリスト取得機能と、
前記リスト取得機能により取得した前記コンテンツ情報のリストをもとにポートマッピングを設定し、その設定情報を基にコンテンツリストのＵＲＬ部分を変更する変更機能と、
前記変更機能により前記ＵＲＬ部分を変更した第１のホームネットワークの前記コンテンツリストを前記ネットワークを介して前記第２のゲートウェイ装置へ返信するコンテンツリスト返信機能とをコンピュータにより実現させることを特徴とするコンテンツ情報共有プログラム。
【請求項１０】
前記変更機能は、
前記第１のデジタルメディアサーバが保持しているコンテンツ情報をもとに、前記第１のゲートウェイ装置自身の前記ネットワーク側に割り当てられているグローバルＩＰアドレスの特定ポート宛てへのパケットを前記第１のホームネットワークのコンテンツリストのＵＲＬに記載されているＩＰアドレスに転送するように設定するポートマッビング設定機能と、
前記ポートマッピング設定機能による設定情報をもとに、前記第１のホームネットワークのコンテンツリストの、ＩＰアドレス及びポート番号情報からなるＵＲＬ情報を変換して、前記ＵＲＬ部分を変更した第１のホームネットワークのコンテンツリストを作成するコンテンツリスト変換機能と
を含むことを特徴とする請求項９記載のコンテンツ情報共有プログラム。
【発明の詳細な説明】
【技術分野】
【０００１】
本発明はコンテンツ情報共有システム、コンテンツ情報共有方法及びコンテンツ情報共有プログラムに係り、特にホームネットワーク内のコンテンツに外部からアクセス可能なコンテンツ情報共有システム、コンテンツ情報共有方法及びコンテンツ情報共有プログラムに関する。
【背景技術】
【０００２】
ＤＬＮＡ(Digital Living Network Alliance)は、家電、モバイル端末、パーソナルコンピュータ等において、異なるメーカの装置間での相互接続性を容易にすることを目的として結成された業界団体である。このＤＬＮＡが作成したガイドラインに従った機器間では、メーカや機種が異なっていても、ホームネットワーク（家庭内ローカル・エリア・ネットワーク（ＬＡＮ））を介して互いを認識することができ、他の機器に保存されている動画、静止画、音楽などのコンテンツを、ホームネットワークに接続された機器から閲覧することができる。
【０００３】
近年、このＤＬＮＡのガイドラインの枠を超えて、ホームネットワークに設置されたＤＬＮＡ対応機器、ハードディスク装置（ＨＤＤ:Hard Disk Drive）、デジタルメディアサーバ(ＤＭＳ:Digital Media Server)などが保持するコンテンツを、インターネットを介して外部から閲覧できるコンテンツアクセスシステムの一例が特許文献１に記載されている。
【０００４】
この特許文献１記載のコンテンツアクセスシステムは、ホームネットワーク上のゲートウェイ（ＨＧＷ:Home Gateway）装置とコンテンツ提供サーバとを備える構成であり、次のように動作する。
【０００５】
ＨＧＷ装置はデジタルコンテンツを記憶するＤＭＳからコンテンツリストを取得し、そのコンテンツリストに基づいてデジタルコンテンツへのリンク情報を含むＷｅｂページを作成し、インターネット上のコンテンツ提供サーバへ送信する。コンテンツ提供サーバは、インターネットに接続されたＤＬＮＡ非対応の端末装置であるユーザ端末からＷｅｂページのアクセスがあると、そのＷｅｂページに含まれるコンテンツをユーザ端末へ提供する。これにより、ユーザ端末は、ホームネットワーク外からホームネットワーク上に設置されたＤＭＳ等のコンテンツを再生することができる。
【０００６】
また、ホームネットワークに設置されたデバイスが、ホームネットワーク外に設置されたデバイスで提供されるサービスに関する情報も取得して利用できる通信制御装置が特許文献２に記載されている。この特許文献２に記載の通信制御装置では、ホームネットワーク上のＨＤＤ、ＷｅｂＴＶ、パーソナルコンピュータ等のデバイスに接続されたＨＧＷ装置が、ネットワークを介してコンテンツリスト提供サーバ及びコンテンツサーバなどに接続された構成であり、次のように動作する。
【０００７】
ホームネットワーク上のＨＧＷ装置は、そのホームネットワーク上のＷｅｂＴＶからコンテンツリストを要求する旨のリクエストを受信すると、コンテンツリスト提供サーバからネットワークを介してＷｅｂＴＶに提供されるコンテンツリストを取得する。そして、ＨＧＷ装置は、取得したコンテンツリストをリクエスト応答としてＷｅｂＴＶへ送信する。その後、ＨＧＷ装置は、コンテンツリストからコンテンツが選択されたことをＷｅｂＴＶからコンテンツが取得されたことを通知された場合に、その選択されたコンテンツを提供するコンテンツサーバとＷｅｂＴＶとをネットワークを介して接続する。これにより、ホームネットワーク上のＷｅｂＴＶはホームネットワーク外のコンテンツサーバからのコンテンツを視聴することができる。
【０００８】
また、複数のホームネットワークにおいてメディア情報を共有するメディア情報共有システムが特許文献３に記載されている。この特許文献３に記載のメディア情報共有システムは第１ホームネットワークに第１ＨＧＷ装置が接続され、第２ホームネットワークに第２ＨＧＷ装置が接続され、第１ホームネットワークと第２ホームネットワークとはＩＰ(Internet Protocol)ネットワークを介して接続された構成であり、次のように動作する。
【０００９】
第２ホームネットワークに接続された第２ＨＧＷ装置に、第１ホームネットワークに接続された第１ＨＧＷ装置のＩＰアドレス情報を転送先情報として設定しておく。これにより、第２ホームネットワークに接続されたデジタルメディアプレーヤから第１ホームネットワークに接続されたＤＭＳにアクセスすることにより、そのＤＭＳに記憶されているコンテンツ情報が視聴可能となる。
【先行技術文献】
【特許文献】
【００１０】
【特許文献１】特開２００９−１１８１１２号公報
【特許文献２】特開２００９−２３０２５６号公報
【特許文献３】特開２０１１−１２８９５７号公報
【発明の概要】
【発明が解決しようとする課題】
【００１１】
特許文献１及び特許文献３に記載のシステムでは、いずれもホームネットワーク内のＤＭＳなどのデバイスが記憶しているコンテンツを、そのホームネットワークの外のユーザ端末やデジタルメディアプレーヤにより再生（閲覧）することができる。また、特許文献２に記載の通信制御装置では、ホームネットワーク内のデバイスが、ホームネットワークの外のコンテンツサーバからコンテンツを取得して再生（閲覧）することができる。
【００１２】
しかしながら、上記のシステムや通信制御装置では、コンテンツを閲覧するときには、予め閲覧対象コンテンツを保持している装置を指定する必要があり、複数のホームネットワークの機器が保持するコンテンツの閲覧を行う場合には、そのコンテンツが保持されているデバイスやサーバを再度指定する必要があり、操作が煩雑である。
【００１３】
すなわち、特許文献１〜３に記載のシステムや通信制御装置では、ユーザが閲覧対象とするコンテンツを保持しているデバイスやサーバが複数台となりやすい。このため、ユーザが現在閲覧しているコンテンツを保持しているデバイスまたはサーバとは別のデバイスまたはサーバが保持している別のコンテンツを閲覧する場合には、デバイスまたはサーバの再選択を行う必要がある。
【００１４】
本発明は以上の点に鑑みなされたもので、複数のホームネットワーク間のコンテンツ情報を共有し、一元管理することで上記の課題を解決したコンテンツ情報共有システム、コンテンツ情報共有方法及びコンテンツ情報共有プログラムを提供することを目的とする。
【課題を解決するための手段】
【００１５】
上記の目的を達成するため、本発明のコンテンツ情報共有システムは、少なくとも第１のゲートウェイ装置及び第１のデジタルメディアサーバからなる１以上の第１のホームネットワークと、第２のゲートウェイ装置、第２のデジタルメディアサーバ及び少なくともコンテンツ情報を再生する機能を備える再生機器からなる第２のホームネットワークとが、双方向通信可能なネットワークを介して接続されており、
第２のゲートウェイ装置は、再生機器からの第１のホームネットワークに保持されているコンテンツ情報の取得要求に基づいて、取得要求されたコンテンツ情報を保持する第１のホームネットワークにネットワークを介してコンテンツリスト取得要求を送信するコンテンツリスト取得要求手段と、コンテンツリスト取得要求を受信した第１のホームネットワークから応答送信されたコンテンツリストを受信し、少なくともその受信コンテンツリストを再生機器へ転送するコンテンツリスト転送手段とを備え、
第１のゲートウェイ装置は、第２のゲートウェイ装置から送信されたコンテンツリスト取得要求を受信したときに、第１のデジタルメディアサーバが保持しているコンテンツ情報のリストを取得するリスト取得手段と、リスト取得手段により取得したコンテンツ情報のリストをもとにポートマッピングを設定し、その設定情報を基にコンテンツリストのＵＲＬ部分を変更する変更手段と、変更手段によりＵＲＬ部分を変更した第１のホームネットワークのコンテンツリストをネットワークを介して第２のゲートウェイ装置へ返信するコンテンツリスト返信手段とを備える、ことを特徴とする。
【００１６】
また、上記の目的を達成するため、本発明のコンテンツ情報共有方法は、少なくとも第１のゲートウェイ装置及び第１のデジタルメディアサーバからなる１以上の第１のホームネットワークに、双方向通信可能なネットワークを介して接続された、第２のゲートウェイ装置、第２のデジタルメディアサーバ及び少なくともコンテンツ情報を再生する機能を備える再生機器からなる第２のホームネットワークの第２のゲートウェイ装置が、再生機器からの第１のホームネットワークに保持されているコンテンツ情報の取得要求に基づいて、取得要求されたコンテンツ情報を保持する第１のホームネットワークにネットワークを介してコンテンツリスト取得要求を送信するコンテンツリスト取得要求ステップと、第１のゲートウェイ装置が、第２のゲートウェイ装置から送信されたコンテンツリスト取得要求を受信したときに、第１のデジタルメディアサーバが保持しているコンテンツ情報のリストを取得するリスト取得ステップと、第１のゲートウェイ装置が、リスト取得ステップにより取得したコンテンツ情報のリストをもとにポートマッピングを設定し、その設定情報を基にコンテンツリストのＵＲＬ部分を変更する変更ステップと、第１のゲートウェイ装置が、変更ステップによりＵＲＬ部分を変更した第１のホームネットワークのコンテンツリストをネットワークを介して第２のゲートウェイ装置へ返信するコンテンツリスト返信ステップと、第２のゲートウェイ装置が、コンテンツリスト取得要求を受信した第１のホームネットワークから応答送信されたコンテンツリストを受信し、少なくともその受信コンテンツリストを再生機器へ転送するコンテンツリスト転送ステップと、を含むことを特徴とする。
【００１７】
また、上記の目的を達成するため、本発明のコンテンツ情報共有プログラムは、少なくとも第１のゲートウェイ装置及び第１のデジタルメディアサーバからなる１以上の第１のホームネットワークに、双方向通信可能なネットワークを介して接続された、第２のゲートウェイ装置、第２のデジタルメディアサーバ及び少なくともコンテンツ情報を再生する機能を備える再生機器からなる第２のホームネットワークの第２のゲートウェイ装置において再生機器からの第１のホームネットワークに保持されているコンテンツ情報の取得要求に基づいて、取得要求されたコンテンツ情報を保持する第１のホームネットワークにネットワークを介してコンテンツリスト取得要求を送信するコンテンツリスト取得要求機能と、コンテンツリスト取得要求を受信した第１のホームネットワークから応答送信されたコンテンツリストを受信し、少なくともその受信コンテンツリストを再生機器へ転送するコンテンツリスト転送機能とをコンピュータにより実現させ、
第１のゲートウェイ装置において第２のゲートウェイ装置から送信されたコンテンツリスト取得要求を受信したときに、第１のデジタルメディアサーバが保持しているコンテンツ情報のリストを取得するリスト取得機能と、リスト取得機能により取得したコンテンツ情報のリストをもとにポートマッピングを設定し、その設定情報を基にコンテンツリストのＵＲＬ部分を変更する変更機能と、変更機能によりＵＲＬ部分を変更した第１のホームネットワークのコンテンツリストをネットワークを介して第２のゲートウェイ装置へ返信するコンテンツリスト返信機能とをコンピュータにより実現させることを特徴とする。
【発明の効果】
【００１８】
本発明によれば、複数のホームネットワーク間のコンテンツ情報を共有し、一元管理することができるため、再生機器がコンテンツを保持している機器やネットワークの再選択をすることなく、簡単な操作により異なるホームネットワークのコンテンツ情報を再生することができる。
【図面の簡単な説明】
【００１９】
【図１】本発明のコンテンツ情報共有システムの一実施形態のブロック図である。
【図２】図１中のＨＧＷ装置１１０及び１２０の一例の構成図である。
【図３】図１中のホームネットワークにおけるＨＧＷ装置によるコンテンツリスト取得動作説明用シーケンス図である。
【図４】図１中のホームネットワーク内のＨＧＷ装置が異なるホームネットワークのコンテンツ情報を取得する場合の動作シーケンス図である。
【図５】コンテンツリストのＵＲＬ変換の一例を示す図である。
【図６】ＤＬＮＡ（ＤＭＰ）対応機器が、異なるホームネットワーク内に設置されたＤＬＮＡ（ＤＭＳ）対応機器のコンテンツを再生する場合の動作説明用シーケンス図である。
【図７】本発明のコンテンツ情報共有システムの最小構成例のブロック図である。
【発明を実施するための形態】
【００２０】
次に、本発明の実施形態について図面を参照して説明する。
【００２１】
図１は、本発明になるコンテンツ情報共有システムの一実施形態のブロック図を示す。同図に示すように、本実施形態のコンテンツ情報共有システム１００は、２つのホームネットワーク１０１及び１０２が双方向通信可能なネットワークであるインターネット１０３を介して接続された構成である。
【００２２】
ホームネットワーク１０１は、ゲートウェイ（ＨＧＷ:Home Gateway）装置１１０とＤＬＮＡ（ＤＭＳ）対応機器１１１とから構成されている。ＤＬＮＡ（ＤＭＳ）対応機器１１１とは、ＤＬＮＡ規格に準拠するデジタルメディアサーバ(ＤＭＣ;Digital Media Server)で、例えばＤＶＤレコーダ等の情報家電機器のようにコンテンツの保存や配信のための機能を備える機器である（後述のＤＬＮＡ（ＤＭＳ）対応機器１２１も同様）。このＤＬＮＡ（ＤＭＳ）対応機器１１１は、ユニバーサルプラグアンドプレイ（ＵＰｎＰ；Universal Plug and Play)機能により、自身の「告知(Advertisement)」、「諸元情報(Description)の送信」を行い、自身が保持しているコンテンツのリストを通知する機能を有している。なお、ＵＰｎＰ機能とは、ネットワークに接続された機器が、物理的な接続方式に依存せず、相互に認識し機能することを可能とする互換自動認識機能であり、その機能自体は公知であり、またその機能自体は本発明と直接関係はないので詳細な説明は省略する。
【００２３】
ＨＧＷ装置１１０は、ＵＰｎＰ Ｍ-Searchメッセージを、ホームネットワーク１０１内に設置されたＤＬＮＡ（ＤＭＳ）対応機器１１１に送信し、ＤＬＮＡ（ＤＭＳ）対応機器１１１から当該ＤＬＮＡ（ＤＭＳ）対応機器１１１が保持しているコンテンツのコンテンツリスト（すなわち、ホームネットワーク１０１のコンテンツリスト）を取得する。
【００２４】
一方、ホームネットワーク１０２は、ゲートウェイ（ＨＧＷ:Home Gateway）装置１２０とＤＬＮＡ（ＤＭＳ）対応機器１２１とＤＬＮＡ（ＤＭＰ）対応機器１２２とから構成されている。ＤＬＮＡ（ＤＭＰ）対応機器１２２は、ＤＬＮＡ規格に準拠するデジタルメディアプレーヤ(ＤＭＰ;Digital Media Player)で、例えばテレビジョン受像機等の情報家電機器のようにコンテンツの再生のための機能を備える機器である。このＤＬＮＡ（ＤＭＰ）対応機器１２２は、前記ＵＰｎＰ機能により、「探索(Search)」、「諸元情報(Description)の取得」、「情報家電機器の持つ機能の制御(Control)」を行い、更に前述のＤＶＤレコーダ等の情報家電機器に保存されたデジタルコンテンツの取得、再生機能を行う機器を指している。
【００２５】
ここで、ＤＬＮＡ（ＤＭＰ）対応機器１２２がホームネットワーク１０１のコンテンツリストの取得要求をＨＧＷ装置１２０に送信した場合の動作について説明する。
【００２６】
ホームネットワーク１０２上のＨＧＷ装置１２０は、上記のコンテンツ取得要求を受信すると、インターネット１０３を介してホームネットワーク１０１のＨＧＷ装置１１０に対してホームネットワーク１０１のコンテンツリスト取得依頼を送信する。
【００２７】
ＨＧＷ装置１２０からコンテンツリスト取得依頼を受信したＨＧＷ装置１１０は、取得したホームネットワーク１０１のコンテンツリストの情報をもとにポートマッピングを設定し、その設定情報を基にコンテンツリストのＵＲＬ(Uniform Resource Locator)部分を変更する。
【００２８】
ここで、上記の「ポートマッピング」とは、ＨＧＷ装置１１０等のルーター機器が持つ機能の一つで、ルーター機器の広域ネットワーク（ＷＡＮ;wide Area Network)側に割り当てられたグローバルＩＰアドレスの特定ポートに対するアクセスをルーター機器のＬＡＮ側に接続された機器のローカルＩＰアドレスの特定ポートに自動的に転送する機能をいう。また、「ポートマッピング設定」とは、ＷＡＮ側の特定ポートとＬＡＮ側のＩＰアドレスとポート番号との組をテーブル情報として設定することを指す。
【００２９】
したがって、上記のコンテンツリストのＵＲＬ部分の変更は、ＨＧＷ装置１２０からコンテンツリスト取得依頼を受信したＨＧＷ装置１１０が、自身のＷＡＮ側に割り当てられているグローバルＩＰアドレスの特定ポート宛てへのパケットをホームネットワーク１０１のコンテンツリストのＵＲＬに記載されているＩＰアドレスに転送するように設定することを意味する。
【００３０】
続いて、ＨＧＷ装置１１０は、そのＵＲＬ部分を変更したホームネットワーク１０１のコンテンツリストをインターネット１０３を介してホームネットワーク１０２のＨＧＷ装置１２０へ返答する。
【００３１】
ホームネットワーク１０２のＨＧＷ装置１２０は、ＨＧＷ装置１１０からのコンテンツリスト返答を受信すると、ＵＰｎＰ Ｍ-Searchメッセージを、ＤＬＮＡ（ＤＭＳ）対応機器１２１に送信し、ＤＬＮＡ（ＤＭＳ）対応機器１２１から当該ＤＬＮＡ（ＤＭＳ）対応機器１２１が保持しているコンテンツのコンテンツリストを取得する。続いて、ＨＧＷ装置１２０は、ＤＬＮＡ（ＤＭＳ）対応機器１２１から取得したコンテンツリストと、ＨＧＷ装置１１０から受信したホームネットワーク１０１のコンテンツリストとを一つのコンテンツリストにまとめる編集を行ってからコンテンツリスト要求元のＤＬＮＡ（ＤＭＰ）装置１２２へ返答する。
【００３２】
ＤＬＮＡ（ＤＭＰ）装置１２２は、コンテンツを再生する際に、ＨＧＷ装置１２０から返答されたコンテンツリストに記載されたＵＲＬからコンテンツを取得することで、ホームネットワーク１０１のコンテンツを再生することができる。
【００３３】
このようにして、本実施形態のコンテンツ情報共有システム１００によれば、ホームネットワーク１０１のコンテンツリスト情報をホームネットワーク１０２内で共有でき、ホームネットワーク１０１のコンテンツがホームネットワーク１０２にあるかのように一元管理することができる。従って、ホームネットワーク１０２内のＤＬＮＡ（ＤＭＰ）装置１２２がホームネットワーク１０１のコンテンツを再生する時にも、デバイスまたはサーバの再選択をすることなく簡単に再生することができる。
【００３４】
以上が本実施形態のコンテンツ情報共有システム１００の動作の概要であるが、次に、本実施形態のコンテンツ情報共有システム１００の構成及び動作について更に詳細に説明する。
【００３５】
図２（Ａ）はホームネットワーク１０１内に設置されたＨＧＷ装置１１０の一例の構成図、図２（Ｂ）はホームネットワーク１０２内に設置されたＨＧＷ装置１２０の一例の構成図を示す。
【００３６】
ＨＧＷ装置１１０は、図２（Ａ）に示すように、ＵＰｎＰコントロールポイント機能１１２、コンテンツリスト処理機能１１３、ポートマッピング設定機能１１４を有している。ＵＰｎＰコントロールポイント機能１１２はコンテンツリスト取得要求への応答、UPnP M-SearchメッセージによるＵＰｎＰデバイス情報の取得を行う。コンテンツリスト処理機能１１３はコンテンツリストの変換などを行う。ポートマッピング設定機能１１４は、ポートマッピングの設定を行う。
【００３７】
一方、ＨＧＷ装置１２０は、図２（Ｂ）に示すように、ＵＰｎＰコントロールポイント機能１２３及びコンテンツリスト処理機能１２４を有している。ＵＰｎＰコントロールポイント機能１２３はコンテンツリストの取得と一時保存を行う。コンテンツリスト処理機能１２４は複数のコンテンツリストを一つのコンテンツリストにまとめて返答する処理を行う。
【００３８】
次に、図１におけるホームネットワーク１０１におけるＨＧＷ装置１１０によるコンテンツリスト取得動作について図３のシーケンス図と共に説明する。まず、ＨＧＷ装置１１０は、ＤＬＮＡ（ＤＭＳ）対応機器１１１が送信する告知(Advertisement)メッセージを受信すると（ステップＳ１）、諸元情報(Description)要求を行い（ステップＳ２）、ＤＬＮＡ（ＤＭＳ）対応機器１１１から諸元情報(Description)を取得する（ステップＳ３）。
【００３９】
続いて、ＨＧＷ装置１１０は、ＤＬＮＡで規定されているＣＤＳ(Content Directory Service)BrowseというアクションをＤＬＮＡ（ＤＭＳ）対応機器１１１に対して使用する（ステップＳ４）。これにより、ＨＧＷ装置１１０は、ＤＬＮＡ（ＤＭＳ）対応機器１１１が保持するコンテンツのリストをＤＬＮＡ（ＤＭＳ）対応機器１１１から取得する（ステップＳ５）。
【００４０】
次に、ＨＧＷ装置１２０がホームネットワーク１０１のコンテンツ情報を取得する場合の動作シーケンスについて、図４と共に説明する。ホームネットワーク１０２内のＨＧＷ装置１２０は、ホームネットワーク１０１内のＨＧＷ装置１１０に対して、コンテンツリスト取得要求メッセージを送信する（ステップＳ１１）。
【００４１】
コンテンツリスト取得要求メッセージを受信したＨＧＷ装置１１０は、図３のシーケンス図で説明した手順で取得したホームネットワーク１０１のコンテンツ情報をもとに、ポートマッピング設定機能１１４により自身に前述したポートマッピングの設定を行い（ステップＳ１２）、その設定情報をもとにコンテンツリスト処理機能１１３によりコンテンツリストのＵＲＬ情報（ＩＰアドレス／ポート番号情報）を変換する（ステップＳ１３）。
【００４２】
図５は、コンテンツリストのＵＲＬ変換の一例を示す。ＤＬＮＡ（ＤＭＳ）対応機器１１１が保持する図５（Ａ）に示すコンテンツリストのローカルＩＰアドレスとポート番号は、コンテンツリスト処理機能１１３により同図（Ｂ）に示すように、ＨＧＷ装置１１０のＷＡＮ側のグローバルＩＰアドレスとポート番号とに変換される。
【００４３】
図４に戻って説明する。ＨＧＷ装置１１０は、コンテンツリストのＵＲＬ情報を変換すると、そのＵＲＬ情報を変換したコンテンツリストをＨＧＷ装置１２０へ送信する（ステップＳ１４）。すると、ＨＧＷ装置１２０は受信したコンテンツリストをコンテンツリスト処理機能１２４により一時保存する（ステップＳ１５）。
【００４４】
ホームネットワーク１０２内に設置されたＤＬＮＡ（ＤＭＰ）対応機器１２２は、ＨＧＷ装置１２０から受信したコンテンツリストを一時保存することで、ホームネットワーク１０１のコンテンツの情報を取得できる。そして、ＨＧＷ装置１２０は自身が保持しているホームネットワーク１０１のコンテンツリストと、取得したホームネットワーク１０１のコンテンツリストとをコンテンツリスト処理機能１２４により一つのコンテンツリストとしてまとめ、それをコンテンツリスト要求元のＤＬＮＡ（ＤＭＰ）対応機器１２２へ返信する。これにより、ホームネットワーク１０２内に設置されたＤＬＮＡ（ＤＭＰ）対応機器１２２は、ホームネットワーク１０１とホームネットワーク１０２の両方のコンテンツ情報を一度に取得することができ、一元管理することができる。
【００４５】
次に、ホームネットワーク１０２内に設置されたＤＬＮＡ（ＤＭＰ）対応機器１２２が、異なるホームネットワーク１０１内に設置されたＤＬＮＡ（ＤＭＳ）対応機器１１１のコンテンツを再生する場合の動作について図６の動作シーケンス図を併せ参照して説明する。
【００４６】
ＤＬＮＡ（ＤＭＰ）対応機器１２２は、まずＭ-Searchメッセージをマルチキャストし、同じホームネットワーク１０２内のＤＬＮＡ（ＤＭＳ）対応機器を探索する。その際、通常はＨＧＷ装置１２０はＤＬＮＡ（ＤＭＰ）対応機器１２２がマルチキャストしたＭ-Searchメッセージを受信すると（ステップＳ２１）、そのメッセージを同じホームネットワーク１０２に転送する。
【００４７】
これにより、ＤＬＮＡ（ＤＭＳ）対応機器１２１がＭ-Searchメッセージを受信すると（ステップＳ２２）、Ｍ-Search ResponseをＨＧＷ装置１２０に返答する（ステップＳ２３）。ＨＧＷ装置１２０はＭ-Search Responseを受信すると、それをそのまま転送せず、受信したＭ-Search Responseから、ＤＬＮＡ（ＤＭＳ）対応機器１２１のデバイス情報を取得し、そのデバイス情報に基づいて自身がＤＬＮＡ（ＤＭＳ）対応機器１２１であるかのように見せかけるＭ-Search Responseを作成し（ステップＳ２４）、それをＤＬＮＡ（ＤＭＰ）対応機器１２２へ送信する（ステップＳ２５）。ＤＬＮＡ（ＤＭＰ）対応機器１２２は受信したＭ-Search Responseにより、同じホームネットワーク１０２内のＤＬＮＡ（ＤＭＳ）対応機器１２１のデバイス情報を取得する。
【００４８】
続いて、ＤＬＮＡ（ＤＭＰ）対応機器１２２は諸元情報(Description)取得要求をマルチキャストし（ステップＳ２６）、それを受信したＨＧＷ装置１２０がＤＬＮＡ（ＤＭＳ）対応機器１２１に転送する（ステップＳ２７）。これにより、ＤＬＮＡ（ＤＭＳ）対応機器１２１が諸元情報(Description)を応答送信すると（ステップＳ２８）、ＨＧＷ装置１２０はそれを受信して自身がＤＬＮＡ（ＤＭＳ）対応機器１２１であるかのように見せかける諸元情報(Description)を作成し（ステップＳ２９）、それをＤＬＮＡ（ＤＭＰ）対応機器１２２へ送信する（ステップＳ３０）。
【００４９】
続いて、諸元情報(Description)を所得したＤＬＮＡ（ＤＭＰ）対応機器１２２は、ＨＧＷ装置１２０に対して、CDS.Browseメッセージを送信し（ステップＳ３１）、それを受信したＨＧＷ装置１２０がＤＬＮＡ（ＤＭＳ）対応機器１２１に転送する（ステップＳ３２）。これにより、ＤＬＮＡ（ＤＭＳ）対応機器１２１は自身が保持しているコンテンツ情報を記載したコンテンツリストをＨＧＷ装置１２０へ応答送信する（ステップＳ３３）。ＨＧＷ装置１２０はそれを受信してＤＬＮＡ（ＤＭＳ）対応機器１２１のコンテンツリストを取得し、その情報と自身が保持しているホームネットワーク１０１のコンテンツリストの情報とを一つのコンテンツリストとしてまとめたブラウズレスポンス（Browse Response）メッセージを作成し（ステップＳ３４）、それをＤＬＮＡ（ＤＭＰ）対応機器１２２へ送信する（ステップＳ３５）。
【００５０】
ＤＬＮＡ（ＤＭＰ）対応機器１２２は、受信したBrowse Responseメッセージから再生しようとするコンテンツを選択し（ステップＳ３６）、選択したコンテンツのＵＲＬに対して、インターネット１０３を介してＨＴＴＰ(Hyper Text Transfer Protocol)通信プロトコルのＧＥＴアクセス（以下、ＨＴＴＰ  ＧＥＴという）を送信する（ステップＳ３７）。このＨＴＴＰ  ＧＥＴはコンテンツ配信要求に相当する。
【００５１】
ホームネットワーク１０１内のＨＧＷ装置１１０は、上記のＨＴＴＰ  ＧＥＴを受信する。ＨＧＷ装置１１０は、ＨＴＴＰ  ＧＥＴを受信すると、図４のステップＳ１２と共に説明したように、自身のＷＡＮ側に割り当てられているグローバルＩＰアドレスの特定ポート宛てへのパケットをホームネットワーク１０１のコンテンツリストのＵＲＬに記載されているＩＰアドレスに転送するように設定し、その設定情報をもとにＤＬＮＡ（ＤＭＳ）対応機器１１１へＨＴＴＰ  ＧＥＴを送信する（ステップＳ３８）。
【００５２】
ＤＬＮＡ（ＤＭＳ）対応機器１１１はＨＴＴＰ  ＧＥＴを受信すると、そのＨＴＴＰ  ＧＥＴで指定されたコンテンツをＨＧＷ装置１１０へ送信する。これにより、ＨＧＷ装置１１０は図４のステップＳ１３で説明したように、ＤＬＮＡ（ＤＭＳ）対応機器１１１からのコンテンツのＵＲＬ情報（ＩＰアドレス／ポート番号情報）を変換する（ステップＳ３９）。そして、ＨＧＷ装置１１０はそのＵＲＬ情報を変更したホームネットワーク１０１のコンテンツリストをインターネット１０３を介してホームネットワーク１０２のＨＧＷ装置１２０へ返答する（ステップＳ４０）。
【００５３】
ホームネットワーク１０２のＨＧＷ装置１２０は、ＨＧＷ装置１１０からのコンテンツリスト返答を受信すると、ＵＰｎＰ Ｍ-Searchメッセージを、ＤＬＮＡ（ＤＭＳ）対応機器１２１に送信し、ＤＬＮＡ（ＤＭＳ）対応機器１２１から当該ＤＬＮＡ（ＤＭＳ）対応機器１２１が保持しているコンテンツのコンテンツリストを取得する。続いて、ＨＧＷ装置１２０は、ＤＬＮＡ（ＤＭＳ）対応機器１２１から取得したコンテンツリストと、ＨＧＷ装置１１０から受信したホームネットワーク１０１のコンテンツリストとを一つのコンテンツリストにまとめてコンテンツリスト要求元のＤＬＮＡ（ＤＭＰ）装置１２２へ返答する。ＤＬＮＡ（ＤＭＰ）装置１２２は、ＨＧＷ装置１２０から返答されたコンテンツリストに記載されたＵＲＬからコンテンツを取得することで、ホームネットワーク１０１のＤＬＮＡ（ＤＭＳ）対応機器１１１が保持している選択したコンテンツを再生する（ステップＳ４１）。
【００５４】
このように、本実施形態のコンテンツ情報共有システム１００によれば、ＨＧＷ装置１２０でホームネットワーク１０２及び１０１の各コンテンツ情報の一元管理を行うようにしているため、ホームネットワーク１０２のＤＬＮＡ（ＤＭＰ）対応機器１２２がコンテンツを保持している機器やネットワークの再選択をすることなく、簡単な操作により異なるホームネットワーク１０１のコンテンツ情報を再生することができる。
【００５５】
また、本実施形態のコンテンツ情報共有システム１００によれば、ホームネットワーク１０１のコンテンツ情報をホームネットワーク１０２のＨＧＷ装置１２０が取得するようにしたため、ホームネットワーク１０２からホームネットワーク１０１のコンテンツ情報を再生することができる。
【００５６】
また、本実施形態のコンテンツ情報共有システム１００によれば、ＨＧＷ装置１２０がＤＬＮＡ（ＤＭＳ）対応機器１２１及びホームネットワーク１０１のＤＬＮＡ（ＤＭＳ）対応機器１１１の各コンテンツ情報を取得し、それらの機器の代わりにＤＬＮＡ（ＤＭＰ）対応機器１２２にコンテンツリストを送信するようにしたため、コンテンツを取得する際のネットワーク負荷を抑えることができる。
【００５７】
更に、本実施形態のコンテンツ情報共有システム１００によれば、ホームネットワーク１０１及び１０２間でコンテンツを共有するために必要な処理をＨＧＷ装置１１０及び１２０で行うようにしたため、ユーザは特別な操作をすることなく、コンテンツを共有することができる。
【００５８】
次に、本発明になるコンテンツ情報共有システムの最小構成について説明する。
【００５９】
図７は、本発明になるコンテンツ情報共有システムの最小構成例のブロック図を示す。同図に示すように、コンテンツ情報共有システム２００は、少なくとも第１のゲートウェイ（ＨＧＷ）装置２１０及び第１のデジタルメディアサーバ（ＤＭＳ）２１１からなる１以上の第１のホームネットワーク２０１と、第２のゲートウェイ（ＨＧＷ）装置２２０、第２のデジタルメディアサーバ（ＤＭＳ）２２１及び少なくともコンテンツ情報を再生する機能を備える再生機器２２２からなる第２のホームネットワーク２０２とが、双方向通信可能なネットワーク２０３を介して接続されている。ここで、第１のＨＧＷ装置２１０及び第２のＨＧＷ装置２２０は、実施形態のＨＧＷ装置１１０及び１２０に対応する。また、ＤＭＳ２１１、２２１は実施形態のＤＬＮＡ（ＤＭＳ）対応機器１１１、１２１に対応する。また、再生機器２２２は、実施形態のＤＬＮＡ（ＤＭＰ）対応機器１２２に対応する。第１のホームネットワーク２０１は複数あってもよい。また、第１のホームネットワークは第１のＨＧＷ装置２１０及び第１のＤＭＳ２１１以外に他の機器を有していてもよい。
【００６０】
ここで、第２のＨＧＷ装置２２０は、再生機器２２２からの第１のホームネットワーク２０１に保持されているコンテンツ情報の取得要求に基づいて、取得要求されたコンテンツ情報を保持する第１のホームネットワーク２０１にネットワーク２０３を介してコンテンツリスト取得要求を送信するコンテンツリスト取得要求手段２２３と、コンテンツリスト取得要求を受信した第１のホームネットワーク２０１から応答送信されたコンテンツリストを受信し、少なくともその受信コンテンツリストを再生機器２２２へ転送するコンテンツリスト転送手段２２４とを備える。
【００６１】
コンテンツリスト取得要求手段２２３は、図４のステップＳ１１を実現する図２（Ｂ）に示したＰｎＰコントロールポイント機能１２３の一部の機能に相当する。また、コンテンツリスト転送手段２２４は、図４のステップＳ１５などを実現する図２（Ｂ）に示したＰｎＰコントロールポイント機能１２３及びコンテンツリスト処理機能１２４に相当する。
【００６２】
また、第１のＨＧＷ装置２１０は、第２のＨＧＷ装置２２０から送信されたコンテンツリスト取得要求を受信したときに、第１のＤＭＳ２１１が保持しているコンテンツ情報のリストを取得するリスト取得手段２１２と、リスト取得手段２１２により取得したコンテンツ情報のリストをもとにポートマッピングを設定し、その設定情報を基にコンテンツリストのＵＲＬ部分を変更する変更手段２１３と、変更手段２１３によりＵＲＬ部分を変更した第１のホームネットワーク２０１のコンテンツリストをネットワーク２０３を介して第２のＨＧＷ装置２２０へ返信するコンテンツリスト返信手段２１４とを備える。
【００６３】
リスト取得手段２１２は、図２（Ａ）に示したＵＰｎＰコントロールポイント機能１１２により実現される。また、変更手段２１３は、図４のステップＳ１２及びＳ１３、図６のステップＳ３８、Ｓ３９を実現する、コンテンツリスト処理機能１１３及びポートマッピング設定機能１１４に相当する。また、コンテンツリスト返信手段２１４は、図４のステップＳ１４、図６のステップＳ４０を実現するＵＰｎＰコントロールポイント機能１１２に相当する。
【００６４】
この最小構成例のコンテンツ情報共有システム２００によれば、第２のＨＧＷ装置２２０が第１のホームネットワーク２０１のコンテンツリストを受信すると共に、ＤＭＳ２２１に保持されている第２のホームネットワーク２０２のコンテンツリストも取得するので、ホームネットワーク２０１及び２０２のコンテンツ情報を一元管理することができる。
【００６５】
なお、本発明は、図１及び図７に示したハードウェア構成のコンテンツ情報共有システム１００及び２００に限定されるものではなく、本発明は図３、図４、図６の動作シーケンス図で説明したＨＧＷ装置１１０及び１２０の動作をコンピュータにより実行させるコンピュータプログラムであるコンテンツ情報共有プログラムも包含するものである。
【００６６】
また、本発明は上記の実施形態に限定されるものではなく、以下の変形例も包含するものである。例えば、ホームネットワーク１０１及び１０２にそれぞれ複数のＤＬＮＡ（ＤＭＳ）対応機器及びＤＬＮＡ（ＤＭＰ）対応機器が設置されている場合にも本発明を適用することができる。
【００６７】
また、ＤＬＮＡ（ＤＭＰ）対応機器の代わりに、ＤＬＮＡ（ＤＭＣ）対応機器やＤＬＮＡ（ＤＭＲ）対応機器を使用することもできる。ここで、ＤＬＮＡ（ＤＭＣ）対応機器は、ＤＬＮＡに対応したＤＭＣ(Digital Media Controller）機能を備えた機器である。また、ＤＭＣ機能とは、ＤＶＤレコーダ等の情報家電機器を操作するための機能をいい、具体的にはＵＰｎＰを利用して情報家電機器の「探索(Search)」、「諸元情報(Description)の取得」、「情報家電機器の持つ機能の制御(Control)」を行い、ＤＬＮＡ（ＤＭＳ）対応機器が保存しているコンテンツの取得や再生操作を行う機能を指す。また、ＤＬＮＡ（ＤＭＲ）対応機器は、ＤＬＮＡに対応したＤＭＲ(Digital Media Renderer)機能を備えた機器で、例えばテレビジョン受像機等の情報家電機器である。ＤＬＮＡ（ＤＭＲ）機能とは、具体的にはＵＰｎＰを利用して自身の「告知(Advertisement)」や「諸元情報(Description)の送信」を行い、ＤＬＮＡ（ＤＭＳ）対応機器が保存しているコンテンツを再生する機能を指す。
【００６８】
また、上記の実施形態では、ホームネットワーク１０２は１つのホームネットワーク１０１内のコンテンツ情報のみ取得していたが、複数のホームネットワーク内の各コンテンツ情報を取得することも可能である。
【００６９】
また、上記の実施形態の構成に加えて、ホームネットワーク１０２のコンテンツ情報をＨＧＷ装置１１０が取得することによって、ホームネットワーク１０１及び１０２間で互いのコンテンツ情報を共有することも可能である。
【００７０】
また、上記の実施形態では、ＨＧＷ装置１２０がホームネットワーク１０１のコンテンツリストを取得する際に、コンテンツリスト取得要求メッセージを使用したが、他の方法でもコンテンツリストを取得することが可能である。
【００７１】
更に、上記の実施形態では、ＨＧＷ装置１２０がホームネットワーク１０１から取得したコンテンツリストの中に記載されているコンテンツ情報をすべて使用し、ＤＬＮＡ（ＤＭＰ）対応機器１２２に通知するコンテンツリストを作成していたが（図６のステップＳ３４）、ホームネットワーク１０１から取得したコンテンツ情報の一部のみを使用し、コンテンツリストを作成することも可能である。
【産業上の利用可能性】
【００７２】
本発明は、複数のホームネットワークがインターネットを介して互いに双方向通信可能接続されたシステムにおいて、他のホームネットワークが保持するコンテンツを別のホームネットワークのＤＬＮＡ（ＤＭＰ）機器、ＤＬＮＡ（ＤＭＣ）対応機器あるいはＤＬＮＡ（ＤＭＲ）対応機器が再生する用途に適用できる。
【符号の説明】
【００７３】
１００  コンテンツ情報共有システム
１０１、１０２  ホームネットワーク
１０３  インターネット
１１０、１２０  ＨＧＷ(Home Gateway)装置
１１１、１２１  ＤＬＮＡ（ＤＭＳ）対応機器
１１２、１２３  ＵＰｎＰコントロールポイント機能
１１３、１２４  コンテンツリスト処理機能
１１４  ポートマッピング設定機能
１２２  ＤＬＮＡ（ＤＭＰ）対応機器
【図１】
2013148939.tif 000003
【図２】
2013148939.tif 000004
【図３】
2013148939.tif 000005
【図４】
2013148939.tif 000006
【図５】
2013148939.tif 000007
【図６】
2013148939.tif 000008
【図７】
2013148939.tif 000009